(57)【要約】【課題】利用者に迷惑をかけず、かつ作業員に手間をかけることなく、かご床の清掃を行うことができるエレベータのかご床清掃装置を提供する。【解決手段】かご床清掃装置は、かご床３を清掃するブラシ１１と、ブラシ１１を回転可能に支持し、かご２内の対向する側壁間を、ブラシ１１をかご床３に接触させながら移動させる清掃部４と、清掃部４に設けられ、ブラシ１１を回転させるブラシ用モータ１０と、清掃部４を駆動する清掃部用モータ５と、ブラシ１１により掃き出された塵を溜める塵受け部２１と、エレベータの動作信号に基づいて、ブラシ用モータ１０と清掃部用モータ５の動作を制御する制御部１３とを有する。この構成により、利用者に迷惑をかけず、かつ作業員に手間をかけることなく、かご床３の清掃を自動的に行うことができる。【選択図】図３
2011026018.tif 000002
【特許請求の範囲】
【請求項１】
エレベータのかご床を清掃するブラシと、
ブラシを回転可能に支持し、かご内の対向する側壁間を、ブラシをかご床に接触させながら移動させる清掃部と、
清掃部に設けられ、ブラシを回転させるブラシ用モータと、
清掃部を駆動する清掃部用モータと、
ブラシにより掃き出された塵を溜める塵受け部と、
エレベータの動作信号に基づいて、ブラシ用モータと清掃部用モータの動作を制御する制御部と、
を有することを特徴とするエレベータのかご床清掃装置。
【請求項２】
請求項１に記載のエレベータのかご床清掃装置において、
一方の前記側壁の下部には隙間が形成され、その隙間よりかごの外方に清掃部を収容する収容部を有し、
収容部の床面に塵受け部が設けられる、
ことを特徴とするエレベータのかご床清掃装置。
【請求項３】
請求項２に記載のエレベータのかご床清掃装置において、
制御部は、乗場の呼び出しボタンとかご内の行き先階ボタンの押下信号がない場合、ブラシ用モータと清掃部用モータを運転させて、かご床を清掃させる、
ことを特徴とするエレベータのかご床清掃装置。
【請求項４】
請求項３に記載のエレベータのかご床清掃装置において、
清掃部が他方の前記側壁に到達したことを検出する側壁センサと、
清掃部が収容部に到達したことを検出する収容部センサと、
を有し、
制御部は、
側壁センサが、収容部から移動した清掃部が他方の前記側壁に到達したことを検出した場合、清掃部用モータの回転を反転させて清掃部を一方の前記側面側に移動させ、
収容部センサが、他方の前記側壁から移動した清掃部が収容部に到達したことを検出した場合、ブラシ用モータと清掃部用モータを停止させる、
ことを特徴とするエレベータのかご床清掃装置。
【請求項５】
請求項２から４のいずれか１つに記載のエレベータのかご床清掃装置において、
清掃部は、ブラシの回転軸がこの清掃部の移動方向に対して垂直になるようにブラシを支持し、
清掃部が移動している間、ブラシ用モータは、かご床とブラシの接触領域においてブラシが塵受け部側に向かって移動するようにブラシを回転させる、
ことを特徴とするエレベータのかご床清掃装置。
【請求項６】
請求項２から４のいずれか１つに記載のエレベータのかご床清掃装置において、
清掃部は、収容部に収容されているときに、前記隙間を塞いで一方の前記側壁の一部となる前壁を有する、
ことを特徴とするエレベータのかご床清掃装置。
【請求項７】
請求項６に記載のエレベータのかご床清掃装置において、
清掃部は、前壁を上下に移動させる前壁駆動部と、前壁の下部に取り付けられる布状部材とを有し、
制御部は、
清掃部が収容部から他方の前記側壁に移動するときは、前壁駆動部を動作させて前壁を上方に移動させ、布状部材をかご床から離隔させ、
清掃部が他方の前記側壁から収容部に移動するときは、前壁駆動部を動作させて前壁を下方に移動させ、布状部材をかご床に接触させる、
ことを特徴とするエレベータのかご床清掃装置。
【発明の詳細な説明】
【技術分野】
【０００１】
本発明は、エレベータのかご床を清掃するかご床清掃装置に関する。
【背景技術】
【０００２】
従来のエレベータのかご床を清掃する方法について図６を用いて説明する。まず、作業員３４が、乗場１にエレベータのかご２を停止させる。そして、作業員３４がかご２に乗り込み、かご２のかご床３を、モップなどの清掃用具３５を用いて清掃する。清掃が終了すると、作業員３４がエレベータを通常運転に戻す。このように清掃時にはエレベータが休止して利用できないので、利用者に迷惑をかけてしまう。また、このような従来からの手作業による清掃では、作業員３４に手間がかかってしまう。
【０００３】
下記特許文献１には、かご床に溜まった水を自動的に取り除くエレベータのかご床清掃装置が記載されている。このかご床清掃装置の構成について、図５を用いて説明する。
【０００４】
かご床清掃装置は、かご床３に形成された孔２７の内部に配置され、水滴の有無を検出する水滴検出センサ２８と、かご２内の人の有無を検出する乗客検出センサ２９とを有する。これらのセンサ２８，２９の検出結果は、制御装置３３に出力される。制御装置３３は、その検出結果に基づいて、後述する電動機３４と乾燥機３２に運転指令を出力する。
【０００５】
また、かご床清掃装置は、固定アングル２９を介してかご２の外部に支持され、電動機３４の出力により回転する主動滑車２４と、固定アングル２９を介してかご２の外部に支持された追従滑車２６と、これらの滑車２４，２６に巻き掛けられた移動ベルト２５とを有する。移動ベルト２５により、主動滑車２４の動力が追従滑車２６に伝達され、これらの滑車２４，２６が同期回転する。
【０００６】
また、かご床清掃装置は、かご床３に接するように移動ベルト２５に固定されたワイパ２３と、かご２の側壁の底部に設けられた隙間３０と、隙間３０よりかご２の外部に設けられ、水を溜める水受け３１と、水受け３１に溜まった水に熱風を吹き付ける乾燥機３２とを有する。移動ベルト２５の移動とともにかご床３上を摺動するワイパ２３によりかご床３上の水が水受け３１に履きだされ、水受け３１に溜まった水は乾燥機３２の熱風により蒸発する。
【０００７】
このように構成されるかご床清掃装置の動作について簡単に説明する。利用者が濡れた傘などをかご２内に持ち込むことにより、かご床３に水滴がこぼれる。この水滴がかご床３の孔２７に入り込むと、水滴検出センサ２８が水滴の存在を検出し、この検出結果を制御装置３３に出力する。一方、その利用者がかご２から出て行くと、乗客検出センサ２９が、かご２内に人がいないことを検出し、この検出結果を制御装置３３に出力する。
【０００８】
制御装置３３は、上記２つの検出結果、すなわちかご床３に水滴が存在し、かつかご２内に人がいないという検出結果に基づいて、電動機３４と乾燥機３２に運転指令を出力する。制御装置３３の運転指令により電動機３４が運転し、主動滑車２４と移動ベルト２５を介してワイパ２３を移動させる。そうすると、ワイパ２３がかご床３上に溜まった水を水受け３１に掃き出す。そして、制御装置３３の運転指令により乾燥機３２が運転し、水受け３１に溜まった水を蒸発させる。
【０００９】
このかご床清掃装置によれば、かご内に利用者がいないときに、かご床に溜まった水を自動的に取り除くことができる。よって、かご内の人に邪魔になることはなく清掃することができ、また、作業員にかかる清掃作業の負荷の軽減を図ることができる。
【先行技術文献】
【特許文献】
【００１０】
【特許文献１】特開平９−４０３３７号公報
【発明の概要】
【発明が解決しようとする課題】
【００１１】
しかしながら、上記特許文献１のかご床清掃装置には、かご床の水を自動的に除去する機能しかなく、かご床上の塵または埃を除去してかご床をきれいにする機能はない。このため、定期的なかご床の清掃時には、やはり、従来通り作業員が手作業で清掃しなければならなかった。したがって、このような清掃時にはエレベータが休止して利用できないので、利用者に迷惑をかけてしまうという問題が生じるとともに、手作業による清掃のため作業員に手間がかかってしまうという問題が生じてしまう。
【００１２】
本発明の目的は、利用者に迷惑をかけず、かつ作業員に手間をかけることなく、かご床の清掃を行うことができるエレベータのかご床清掃装置を提供することにある。
【課題を解決するための手段】
【００１３】
本発明のエレベータのかご床清掃装置は、エレベータのかご床を清掃するブラシと、ブラシを回転可能に支持し、かご内の対向する側壁間を、ブラシをかご床に接触させながら移動させる清掃部と、清掃部に設けられ、ブラシを回転させるブラシ用モータと、清掃部を駆動する清掃部用モータと、ブラシにより掃き出された塵を溜める塵受け部と、エレベータの動作信号に基づいて、ブラシ用モータと清掃部用モータの動作を制御する制御部と、を有することを特徴とする。
【００１４】
また、一方の前記側壁の下部には隙間が形成され、その隙間よりかごの外方に清掃部を収容する収容部を有し、収容部の床面に塵受け部が設けられることが好適である。
【００１５】
また、制御部は、乗場の呼び出しボタンとかご内の行き先階ボタンの押下信号がない場合、ブラシ用モータと清掃部用モータを運転させて、かご床を清掃させることができる。
【００１６】
また、清掃部が他方の前記側壁に到達したことを検出する側壁センサと、清掃部が収容部に到達したことを検出する収容部センサと、を有し、制御部は、側壁センサが、収容部から移動した清掃部が他方の前記側壁に到達したことを検出した場合、清掃部用モータの回転を反転させて清掃部を一方の前記側面側に移動させ、収容部センサが、他方の前記側壁から移動した清掃部が収容部に到達したことを検出した場合、ブラシ用モータと清掃部用モータを停止させることができる。
【００１７】
また、清掃部は、ブラシの回転軸がこの清掃部の移動方向に対して垂直になるようにブラシを支持し、清掃部が移動している間、ブラシ用モータは、かご床とブラシの接触領域においてブラシが塵受け部側に向かって移動するようにブラシを回転させることができる。
【００１８】
また、清掃部は、収容部に収容されているときに、前記隙間を塞いで一方の前記側壁の一部となる前壁を有することができる。
【００１９】
また、清掃部は、前壁を上下に移動させる前壁駆動部と、前壁の下部に取り付けられる布状部材とを有し、制御部は、清掃部が収容部から他方の前記側壁に移動するときは、前壁駆動部を動作させて前壁を上方に移動させ、布状部材をかご床から離隔させ、清掃部が他方の前記側壁から収容部に移動するときは、前壁駆動部を動作させて前壁を下方に移動させ、布状部材をかご床に接触させることができる。
【発明の効果】
【００２０】
本発明のエレベータのかご床清掃装置によれば、利用者に迷惑をかけず、かつ作業員に手間をかけることなく、かご床の清掃を行うことができる。
【図面の簡単な説明】
【００２１】
【図１】本実施形態のエレベータのかご床清掃装置の構成を示す図である。
【図２】図１のＡ−Ａ線から見た断面図である。
【図３】図１のＢ−Ｂ線から見た断面図である。
【図４】清掃部の詳細図である。
【図５】従来のエレベータのかご床清掃装置の構成を示す図である。
【図６】従来のエレベータのかご床の清掃方法を示す図である。
【発明を実施するための形態】
【００２２】
以下、本発明に係るエレベータのかご床清掃装置の実施形態について、図を用いて説明する。図１は、本実施形態のエレベータのかご床清掃装置の構成を示す図である。図２は、図１のＡ−Ａ線から見た断面図である。図３は、図１のＢ−Ｂ線から見た断面図である。図４は、清掃部の詳細図である。なお、従来技術で説明した図５，６に示される構成要素と同じ構成要素については同一の符号を付し、詳細な説明は省略する。
【００２３】
かご床清掃装置は、かご床３を清掃するブラシ１１と、ブラシ１１を回転可能に支持し、かご２内の対向する側壁間を、ブラシ１１をかご床３に接触させながら移動させる清掃部４とを有する。上述したかご２内の対向する側壁とは、かご扉４０が設けられた壁と、この壁に対向する奥側の壁のことである。なお、この奥側の壁は、かご２内の対向する２つの側壁のうち一方の側壁であり、この壁を以降、第一側壁４２と記す。また、第一側壁４２に対向する、かご扉４０が設けられた壁は、かご２内の対向する２つの側壁のうち他方の側壁であり、この壁を以降、第二側壁４４と記す。
【００２４】
ブラシ１１は円筒状である。ブラシ１１は、このブラシ１１の回転軸であるブラシシャフト１２が清掃部４の移動方向に対して垂直になるように清掃部４に支持される。ブラシ１１は、第一及び第二側壁４２，４４とかご床３が接続する辺の長さと略同じ長さを有する。これにより、清掃部４が、上述したように、第一側壁４２と第二側壁４４を結ぶ方向のみを移動するだけで、かご床３全面を清掃することができる。
【００２５】
清掃部４は、ブラシ１１を回転させるブラシ用モータ１０を有する。ブラシ用モータ１０の出力軸は、ブラシシャフト１２に接続されており、ブラシ用モータ１０の出力がブラシシャフト１２に伝達されてブラシ１１を回転させる。かご床清掃装置の動作中、ブラシ用モータ１０はブラシ１１を、図４に示される矢印Ｃ方向に回転させる。具体的には、清掃部４が移動している間、ブラシ用モータ１０は、かご床３とブラシ１１の接触領域においてブラシ１１が後述する塵受け部２１側に向かって移動するようにブラシ１１を回転させる。このブラシ１１の回転により、かご床３上の塵が常に塵受け部２１に向かって掃き出される。
【００２６】
清掃部４は、ブラシ１１の両端を支持する。このため、清掃部４は、ブラシ１１と同様、第一及び第二側壁４２，４４とかご床３が接続する辺の長さと略同じ長さを有する。この長さ方向における清掃部４の両端には、清掃部４の移動をガイドするガイドローラ８と、ガイドローラ８に支えられたドライブギア７とがそれぞれ設けられている。各ドライブギア７はドライブシャフト６を介して接続されている。また、清掃部４は、この清掃部４を駆動する清掃部用モータ５を有する。清掃部用モータ５の出力軸は、ドライブシャフト６に接続されており、清掃用モータ５の出力がドライブシャフト６に伝達されてドライブギア７を回転させる。
【００２７】
かご床３には、ガイドローラ８の移動を案内するとともに、ドライブギア７に噛み合うギアレール９が設けられている。ギアレール９は、清掃部４の両端にそれぞれ設けられたガイドローラ８とドライブギア７に対応するように、かご床３の両端、すなわち第一及び第二側壁４２，４４以外のかご２の各側壁とかご床３とが接続する部分に設けられる。そして、その部分に、ギアレール９は、第二側壁４４から第一側壁４２を通過して後述する収容部４６までの間に延在して設けられる。この構成により、清掃用モータ５の動作により、ドライブギア７がギアレール９に噛み合いながら回転し、清掃部４がかご床３上を移動する。なお、清掃用モータ５の回転方向を変更することにより、清掃部４は、第一側壁４２または第二側壁４４方向へ向かい自在に移動することができる。
【００２８】
かご床清掃装置は、第一側壁４２よりかご２の外側に位置し、清掃部４を収容する収容部４６と、収容部４６の床面に設けられ、ブラシ１１により掃き出された塵を溜める塵受け部２１とを有する。第一側壁４２の下部には、図３に示されるように、隙間４８が形成され、この隙間４８を通って、清掃部４は収容部４６とかご２内を行き来する。塵受け部２１は、図３に示されるように、かご床３より窪んで形成される。また、塵受け部２１は、図１に示されるように、ブラシ１１と同等の長さを有する。これにより、ブラシ１１により掃き出された塵を効果的に溜めることができる。
【００２９】
清掃部４は、エレベータの通常運転時、すなわち収容部４６に収容されているとき、隙間４８を塞いで第一側壁４２の一部となる前壁１６を有する。前壁１６は、第一側壁４２の色と同系色、さらに第一側壁４２の材質を同じ材質であることが好適である。前壁１６の下部には、布状部材１７が取り付けられている。布状部材１７は、ブラシ１１の長さと同じ長さを有する。布状部材１７がかご床３に接触しながら清掃部４が移動することにより、布状部材１７はかご床３上の塵及び汚れを拭き取ることができる。
【００３０】
清掃部４は、図４に示されるように、前壁１６を支持する前壁アーム１８と、前壁アーム１８に連結される連結棒２０と、連結棒２０に接続する前壁駆動部１９とを有する。前壁駆動部１９は、連結棒２０を進退可能に移動させる装置であり、例えばソレノイドである。前壁アーム１８は、連結棒２０の移動により、前壁１６が上下に移動するように回動可能に清掃部４本体に支持される。前壁駆動部１９の動作により、連結棒２０が下方に移動すると、前壁アーム１８が一方向に回動して、前壁１６が上方に移動する。このとき、布状部材１７は、かご床３から離隔する。一方、前壁駆動部１９の動作により、連結棒２０が上方に移動すると、前壁アーム１８が他方向に回動して、前壁１６が下方に移動する。このとき、布状部材１７は、かご床３に接触する。
【００３１】
また、かご床清掃装置は、エレベータの動作信号に基づいて、ブラシ用モータ１０と清掃部用モータ５の動作を制御する制御部１３を有する。制御部１３は、かご２の外側に設けられる。しかし、本実施形態においては、この構成に限定されず、制御部１３が、かご２の内部に、例えば操作盤（図示せず）の内部に組み込まれることができる。また、制御部１３が、かご２以外の場所、例えばエレベータ機械室または建物の設備監視室に設けられてもよい。
【００３２】
制御部１３は、かご２の操作盤に接続されている。この操作盤から制御部１３に、乗場１の呼び出しボタン（図示せず）とかご２内の行き先ボタン（図示せず）の押下状態の信号が出力される。また、制御部１３は、配線２２を介してブラシ用モータ１０と清掃部用モータ５にそれぞれ接続されている。なお、清掃部４は、収容部４６の内壁に固定されたアーム１４であって、第二側壁４４方向に伸縮自在なアーム１４に接続されており、配線２２は、このアーム１４を沿わせて制御部２２から清掃部４まで配策される。
【００３３】
制御部１３は、乗場１の全ての呼び出しボタンが押下されてなく、かつかご２内の行き先ボタンも押下されてない、すなわち制御盤から入力される信号に押下信号がない場合、ブラシ用モータ１０と清掃部用モータ５を運転させて、かご床３を清掃させる。これにより、エレベータの利用者が確実にいない時間に、かご床３の清掃を実施することができ、利用者に迷惑をかけることを防止することができる。
【００３４】
また、制御部１３は、配線２２を介して、側壁センサ５０と収容部センサ５２にそれぞれ接続されている。側壁センサ５０は、第二側壁４４に設けられ、清掃部４が第二側壁４４に到達したことを検出する。この検出結果は、側壁センサ５０から制御部１３に出力される。一方、収容部センサ５２は、収容部４６に設けられ、清掃部４が収容部４６に到達したことを検出する。この検出結果は、収容部センサ５２から制御部１３に出力される。これらのセンサ５０，５２は、清掃部４の到達を清掃部４との機械的な接触により検出するスイッチ、例えばリミットスイッチを有する。しかし、本実施形態のセンサ５０，５２はこの構成に限定されず、清掃部４の到達を検出することができるのであれば、非接触式の磁気センサまたは赤外線センサにより構成することもできる。
【００３５】
制御部１３は、側壁センサ５０から清掃部４の到達を検出した信号が入力されると、清掃部用モータ５の回転を反転させて清掃部４を第一側壁４２側に移動させる。その後、制御部１３は、収容部センサ５２から清掃部４の到達を検出した信号が入力されると、清掃部用モータ５とブラシ用モータ１０を停止させる。この制御により、清掃時に、清掃部４を、第一及び第二側壁４２，４４間を一往復させることができる。しかし、本実施形態はこの構成に限定されず、清掃部４を、第一及び第二側壁４２，４４間を複数回往復させることもできる。
【００３６】
さらに、制御部１３は、配線２２を介して、前壁駆動部１９に接続されている。制御部１３は、清掃部４が収容部４６から第二側壁４４に移動するときは、前壁駆動部１９を動作させて前壁１６を上方に移動させ、布状部材１７をかご床３から隔離させる。これにより、布状部材１７により拭き取られた塵や汚れが第二側壁４４付近のかご床３に残ってしまうことを防止することができる。一方、制御部１３は、清掃部４が第二側壁４４から収容部４６に移動するときは、前壁駆動部１９を動作させて前壁１６を下方に移動させ、布状部材１７をかご床３に接触させる。これにより、ブラシ１１により掃き出しきれなかった塵およびかご床３上の汚れが布状部材１７により拭き取られて塵受け部２１に溜めることができる。
【００３７】
次に、本実施形態のかご床清掃装置の動作について説明する。乗場１の呼び出しボタンとかご２内の行き先階ボタンの押下信号がない場合、制御部１３は、エレベータが利用されていないと判断し、清掃部４に清掃を開始させる。すなわち、制御部１３は、清掃部用モータ５とブラシ用モータ１０と前壁駆動部１９とに制御指令を出力する。制御部１３の制御指令により清掃部用モータ５の動作が開始され、清掃部４は収容部４６から第二側壁４４へ向けて移動する。制御部１３の制御指令によりブラシ用モータ１０の動作が開始され、ブラシ１１が回転して、かご床３の塵がブラシ１１から塵受け部２１に向かうように掃き出される。制御部１３の制御指令により前壁駆動部１９が動作して、前壁１６が上昇し、布状部材１７がかご床３から離隔される。
【００３８】
そして、清掃部４が第二側壁４４まで移動すると、側壁センサ５０が清掃部４の到達を検出する。そうすると、制御部１３は、清掃部用モータ５と前壁駆動部１９とに制御指令を出力する。制御部１３の制御指令により清掃部用モータ５の回転が反転し、これにより、清掃部４は第二側壁４４から収容部４６に向けて移動する。制御部１３の制御指令により前壁駆動部１９が動作して、前壁１６が下降し、布状部材１７がかご床３に接触する。清掃部４が第二側壁４４から収容部４６に向けて移動する間、ブラシ１１によりかご床３上の塵がブラシ１１から塵受け部２１に向かうように掃き出されるとともに、布状部材１７により、ブラシ１１により掃ききれなかった塵とかご床３の汚れが拭き取られる。
【００３９】
そして、清掃部４が収容部４６まで移動すると、収容部センサ５２が清掃部４の到達を検出する。そうすると、制御部１３は、清掃部用モータ５とブラシ用モータ１０と制御指令、すなわち停止指令を出力し、清掃部４の移動とブラシ１１の回転が停止する。これらの動作により、かご床３上の塵と汚れが除去され、塵受け部２１に溜められる。塵受け部２１の堆積物は、作業員により定期的に除去される。なお、かご床清掃装置の動作途中に、乗場１の呼び出しボタンとかご２内の行き先階ボタンの押下信号があった場合、清掃を中断して清掃部４を収容部４６に移動させるように制御することも、清掃が完了してからかご扉４０を開くように制御することもできる。
【００４０】
本実施形態のかご床清掃装置によれば、エレベータが利用されていないときに、この装置が自動的に動作して、ブラシ１１によりかご床３を掃くとともに布状部材１７によりかご床３を拭き取るので、利用者に迷惑をかけず、かつ作業員に手間をかけることなく、かご床３の清掃を行うことができる。
【００４１】
本実施形態においては、ブラシ１１は一本であり、この長さがかご床３の一辺の長さと略同じである場合について説明したが、この構成に限定されない。ブラシ１１が複数本であり、これらのブラシ１１を直列に接続した合計の長さかご床３の一辺の長さと略同じになるように構成されてもよい。また、ブラシ１１が複数本であり、これらのブラシ１１が平行に清掃部４に支持され、かご床３に対する清掃能力の向上を図ることもできる。
【００４２】
また、本実施形態においては、第二側壁４４が、かご扉４０が設けられた壁であり、第一側壁４２が、かご扉４０が設けられた壁に対向する壁である場合について説明したが、この構成に限定されない。第一及び第二側壁４２，４４が、かご扉４０が設けられた壁の両端にそれぞれ接続する壁であってもよい。
【００４３】
また、本実施形態においては、清掃用モータ５の駆動により、ドライブギア７がギアレール９に噛み合いながら回転し、清掃部４がかご床３上を移動する場合について説明したが、この構成に限定されない。清掃用モータ５の駆動により、清掃部４が所定の方向に沿って移動可能であれば、清掃用モータ５の出力が、例えばかご床３に接する車輪に伝達され、この車輪の回転により、清掃部４を移動させることもできる。また、ガイドローラ８がギアレール９に案内される場合について説明したが、この構成に限定されない。清掃部４の移動をガイドするのであれば、ガイドローラ８が第一及び第二側壁４２，４４以外のかご２の各側壁にそれぞれ接して、これらの側壁に案内されてもよい。
【００４４】
また、本実施形態においては、かご床清掃装置が、第一側壁４２よりかご２の外側に位置し、清掃部４を収容する収容部４６を有する場合について説明したが、収容部４６が無くてよい。利用者の邪魔にならなければ、エレベータの通常運転時、清掃部４をかご２の端部、例えば第一側壁４２に接して停止させてもよい。この構成では、かご床３における清掃部４の停止領域に塵受け部２１が設けられる。また、この構成では、かご床清掃装置は、前壁１６、布状部材１７、前壁駆動部１９などの構成要素を除くことができる。
【００４５】
また、本実施形態においては、乗場１の呼び出しボタンとかご２内の行き先階ボタンの押下信号がない場合、かご床３の清掃を開始する場合について説明したが、この構成に限定されない。上記の押下信号がない状態が所定時間経過した後に、かご床３の清掃を開始することもできる。また、上記の押下信号がないときに毎回清掃を行なうのでなく、一日の清掃回数を予め設定することもできる。また、エレベータの利用が殆どない時間帯、例えば夜中の所定時刻、かつ上記の押下信号がない場合に、かご床３の清掃を行うよう、清掃時間を予め設定することもできる。
【符号の説明】
【００４６】
１  乗場、２  かご、３  かご床、４  清掃部、５  清掃部用モータ、６  ドライブシャフト、７  ドライブギア、８  ガイドローラ、１０  ブラシ用モータ、１１  ブラシ、１２  ブラシシャフト、１３  制御部、１６  前壁、１７  布状部材、１９  前壁駆動部、２１  塵受け部、４０  かご扉、４２  第一側壁、４４  第二側壁、４６  収容部、４８  隙間、５０  側壁センサ、５２  収容部センサ。
【図１】
2011026018.tif 000003
【図２】
2011026018.tif 000004
【図３】
2011026018.tif 000005
【図４】
2011026018.tif 000006
【図５】
2011026018.tif 000007
【図６】
2011026018.tif 000008